(57)【要約】装置又は装置ケーシング（８）の振り子運動を減衰させるためのダンパ（１）は、導電性アンカープレート（４）とケーシング（２）とを有し、ケーシング（２）及びアンカープレート（４）がお互いに対して回転可能であり、アンカープレート（４）又はケーシング（２）が車軸（３２）上に支持され、ケーシング（２）は、少なくとも１つの磁石（５０）を備え、磁石（５０）は、１つの極に、フェライト含有材料から成るバッキングプレート（５２、５２’）を備え、磁石（５０）及びバッキングプレート（５２）が磁石システム（５）を形成し、磁石システム（５）が少なくとも１つの極（５４）においてアンカープレート（４）と対向する。このようなダンパの使用方法もまた説明される。
2013531188.tif 000002
【特許請求の範囲】
【請求項１】
装置又は装置ケーシング（８）の振り子運動を減衰させるためのダンパ（１）であって、導電性アンカープレート（４）とケーシング（２）とを有し、前記ケーシング（２）と前記アンカープレート（４）がお互いに対して回動可能であり、前記ケーシング（２）又は前記アンカープレート（４）が車軸（３２）上に支持され、前記ケーシングは少なくとも１つの磁石（５０）を備え、
前記磁石（５０）は、１つの極において、フェライト含有材料から成るバッキングプレート（５２、５２’）を備え、前記磁石（５０）及び前記バッキングプレート（５２）が磁石システム（５）を形成し、
前記磁石システム（５）が、少なくとも１つの極（５４）において前記アンカープレート（４）と対向する、ことを特徴とするダンパ。
【請求項２】
請求項１に記載のダンパ（１）であって、前記ケーシング（２）内には、前記アンカープレート（４）の１面に対向する少なくとも１つの磁極（５４）と、前記アンカープレート（４）の反対面に対向する少なくとも１つの磁極（５４）と、が配置されていることを特徴とするダンパ。
【請求項３】
請求項１に記載のダンパ（１）であって、前記磁石（５０）が、多極構成されていることを特徴とするダンパ。
【請求項４】
請求項１に記載のダンパ（１）であって、前記ケーシング（２）には、前記アンカープレート（４）の１面に対向する少なくとも１つの凹部（２８、２８’）が設けられていることを特徴とするダンパ。
【請求項５】
請求項１に記載のダンパ（１）であって、前記バッキングプレート（５２、５２’）が、前記凹部（２８、２８’）の底部に取り付けられていることを特徴とするダンパ。
【請求項６】
請求項１に記載のダンパ（１）であって、前記ケーシング（２）は、前記装置ケーシング（８）を取り付ける手段を備えることを特徴とするダンパ。
【請求項７】
請求項１に記載のダンパ（１）であって、前記ケーシング（２）が、前記アンカープレート（４）を囲むよう設計されていることを特徴とするダンパ。
【請求項８】
請求項１に記載のダンパ（１）であって、前記アンカープレート（４）は、前記ケーシング（２）から外に突出するタング部（４’）を備え、前記タング部（４’）には、前記装置ケーシング（８）の取り付けのための穴（４４）が形成されていることを特徴とするダンパ。
【請求項９】
回動可能又は傾斜可能プラットフォームであって、請求項１に記載のダンパを備えることを特徴とするプラットフォーム。
【請求項１０】
回動可能又は傾斜可能プラットフォームに取り付けられた装置又は装置ケーシング（８）の振り子運動を減衰させる方法であって、前記装置又は前記装置ケーシング（８）が請求項１に記載のダンパ（１）に取り付けられていることを特徴とする方法。
【請求項１１】
回動可能又は傾斜可能プラットフォームに装置又は装置ケーシング（８）を回動可能に取り付けるための、請求項１に記載のダンパ（１）の使用。
【発明の詳細な説明】
【技術分野】
【０００１】
本発明は、１つの軸線周りの振り子運動におかれた構造体のための減衰機構に関する。特に、本発明は、１つ又はそれ以上の磁石を使い導電性アンカープレート内に渦電流を発生させる減衰機構に関する。振り子運動を減衰させる方法及びこのようなダンパの使用も説明される。ダンパには、装置又は装置ケースが設けられる。ダンパによって、装置又は装置ケーシングの長手軸を迅速におおよその静止状態にすることができる。
【背景技術】
【０００２】
渦電流は、導電性材料の構造体内において、この構造体が磁界内で動かされる又は磁界が時間と共に変化する場合に発生する。そして、循環する電子の流れが構造体内で発生し、これが渦電流である。レンツの法則によれば、渦電流は、この渦電流を発生させた磁界の方向とは反対方向の誘導磁界を発生させる。これにより、磁石と電気的な構造体との間に運動に対する抵抗が生じる。この抵抗の大きさは、磁界の強さ、構造体の導電性、及び磁界がどの程度速く変化するかに依存する。
【０００３】
永久磁石は、磁鉄鉱、アルニコ（アルミニウム、ニッケル、コバルト）などの焼結物、サマリウムコバルト及びネオジム（ネオジム、鉄、ホウ素）、及びチコナル（チタン、コバルト、ニッケル、アルミニウム）等の合金、等の様々な材料から構成できる。
【０００４】
ここでは、多極磁石とは、２つ又はそれ以上の単一の磁石が隣同士に配置されたものを意味し、一つおきの磁石が同じＮ極からＳ極への磁界方向を有し、中間の磁石が反対方向の磁界を有する。多極磁石はまた、１つの部品に形成したあとに、それ自体が既知の方法で磁化され、形成された磁石の異なる部分又はセクタが異なる磁極を有する、鋳造又は焼結された磁化可能材料を含む。
【０００５】
ここでは、フェライト含有材料とは、この分野では炭素鋼としても知られる軟鋼等の、鉄含有率の高い材料を意味する。
【０００６】
ここでは、磁気システムとは、磁石がフェライト含有材料と組み合わされているシステムを意味し、この場合、一部の磁界の強さが、フェライト含有材料が無い場合の磁石の磁界の強さに比べ、増大されている。
【０００７】
ここでは、装置とは、風力計、距離計、角度ゲージ、カメラ及びレーザ等の光学装置等の測定装置を意味する。１つ又はそれ以上の装置を装置ケーシング内に配置できる。装置ケーシングは、装置を保護し、装置ケーシングは、装置を装置ケーシングに取り付けるための第１の手段と、装置ケーシングをプラットフォームに取り付けるための第２の手段と、を備えていてもよい。
【０００８】
装置ケーシングは、様々な種類のプラットフォームに取り付けることができ、プラットフォームは、静止したものであっても、回動可能なものであっても、傾斜可能なものであっても、移動可能なものであってもよい。
【０００９】
いくつかの装置では、その適用位置において、測定方向又は観測方向が一定であることが望ましい。多くの場合、これらの装置をプラットフォームに固定して取り付けることによりこれが達成される。このような解決法は、プラットフォーム自体が回動可能又は傾斜可能である場合や、プラットフォームが外部の力に晒される場合には用いることができない。一例として、上げ下げできるクレーンブームの形のプラットフォームの場合が挙げられる。もう１つの例としては、波の運動に晒される船の上のプラットフォームの場合が挙げられる。回動可能、傾斜可能、及び移動可能なプラットフォーム上で使われる装置は、プラットフォームに回動可能に取り付けることができ、これにより、固定された測定方向又は観測方向を保持できる。
【００１０】
ジャイロにより安定された装置の使用が知られている。この方法は、固定された測定方向又は観測方向を保つための信頼できる解決法である。ジャイロは、比較的高価であるという欠点を有する。ジャイロはまた、ジャイロの動作のためのエネルギ源に依存する。エネルギ源は、装置ケーシング内に配置できる電池又は太陽電池であってもよく、又は、ケーブルを介してエネルギをジャイロに供給するエネルギ源であってもよい。
【００１１】
プラットフォームに水平方向に回動可能に取り付けられた装置ケーシング内の装置は、局所的な重力によって装置ケーシングを調整する錘によって、その位置が保たれていてもよい。装置ケーシング自体が錘であってもよい。錘は、静止する前に回動の中心周りを長時間揺動するという欠点がある。船に乗せた場合、実際には、錘は静止しない。装置が風に晒された場合も、錘は静止しない。
【００１２】
カメラをクレーンブームに取り付け、積み込み領域を上から監視することが一般的になりつつある。これは特に、クレーン操縦者が積み込み領域を直接的に見ることができないような領域で物品を持ち上げる場合等で、特に適切である。持ち上げ作業の間、クレーンブームの自由端部はほぼ連続的に上げ下げされ、クレーンの垂直回動軸線から積荷までの径方向距離が変化する。それと共に、クレーンブームの水平面に対する角度は、ブームのつり下げ軸線周りにブームを回動させることによって変化させられる。よって、カメラの向きを積み込み領域に向けるためには、クレーンブーム内のカメラのつり下げは、ブームに対する主要な連続した角度の変化を可能にするように構成される必要がある。この種類のカメラは通常、重力によって望まれる領域にカメラを向けるようカメラ自体を調整するような形でつり下げられる。クレーンがその垂直軸線周りに回動した場合、クレーンブームの角度が変化させられていない時であっても、クレーンブームに回動可能につり下げられているカメラは、遠心力により、その平衡位置から外にスイングする。よって、カメラはその所望の位置を離れ、回動運動が完了するまで元の位置には戻らない。
【００１３】
カメラの望まれない振り子運動を発生させないために、クレーンブームに対するカメラの相対的な運動を減衰させる必要がある。錘に基づくシステムのこのような揺動を減衰するためのいくつかの方法が知られている。減衰機構は、摩擦ブレーキであってもよい。摩擦ブレーキは、摩擦を克服する前にモーメントが必要であるという欠点を有する。クレーンブーム内のカメラは、クレーンブームの動きが小さいと、ブレーキの摩擦力に打ち勝つことができずに、所望の位置から離れてしまう。摩擦ブレーキはまた、クレーンブームからカメラに過度の量の振動を伝えることがわかっている。減衰機構は、流体ベースの機構であってもよい。狭い通路を通りオイルが運ばれる。オイルは、温度によってその流体性が変化する場合があり、よって、減衰効果を可能にするには、オイルは、冷たい周辺温度では粘度が高すぎ、暖かい周辺温度では低すぎる。ダンパの材料はまた、温度変化と共にその大きさを変化させてもよい。これにより、オイルの通路の断面積を変化させることができる。
【００１４】
上述のように、減衰機構は渦電流ベースのものでもよい。特許文献である米国特許第５，７３６，７９８号は、いくつかの方向及びいくつかの軸線周りの小さな振動に対抗する受動的な磁性ダンパであって鏡の研削及び研磨に使用されるよう特別に設計されたダンパを開示する。アンカープレートが曲げられ、円形の胸壁を形成し、これにより、一連の上部磁石と一連の下部磁石がお互いの間に配置されることを可能にし、一連の上部磁石と一連の下部磁石が極毎に対向せず、アンカープレートが磁石の間に存在する。アンカープレートの胸壁形状により、磁石を保持するケーシング内で、アンカープレートの自由な回動を防止する。
【００１５】
渦電流を使って、回動するディスクにブレーキをかける、すなわち回動するディスクに対して回動抵抗を与えることが、この分野では知られている。例えば、特許文献であるＪＰ５８１０９６５３を引用し、この文献は、ゆっくりと回動するディスク上に大きなブレーキ力を生成することを開示する。一連の電磁石がディスクの両面に環状に配置される。この特許文献は、対向する磁石のペアが、ディスクに向かって対向する極において異なる極性又は同一の極性をもっていてもよいことを開示する。特許文献である米国特許第５，０３１，９００号は、アルミニウムディスクから形成されるはずみ車の両側に電磁石を使うことにより、調整可能な抵抗を構成するトレーニング装置を開示する。電磁石は、はずみ車の両側にそれぞれ１つの磁石を有するペアを構成する。特許文献である特許第５，６５６，００１号もまた、トレーニング装置を開示する。一連の電磁石が、導電性材料から成るディスクの両面に円状に配置される。これにより、調節可能な抵抗が作り出され、トレーニングに使用できる。特許文献である米国特許第５，０３１，９００号及び米国特許第５，６５６，００１号は、比較的速く回動するディスクを開示し、磁石が多極として配置される又は磁石がフェライト含有材料から成るバッキングプレートを備えることは開示しておらず、また、磁石がフェライト含有ジャケットに囲まれていることも開示していない。
【００１６】
本願出願人自身による特許文献であるＮＯ２００１４１８８は、振り子運動を減衰させるという問題を解決することを目的としたダンパ／ブレーキを開示する。ブレーキディスクを形成する少なくとも１つの導電性プレートが、少なくとも１つのペアの永久磁石の間に移動可能に配置される。永久磁石のペアの極は、永久磁石がお互いに引き合うように配置される。磁石のペアは、保持プレート内で半円形に配置される。保持プレート及びブレーキディスクは、開いた構造を形成する。この特許文献は、磁石が多極配置されていることやフェライト含有材料から成るバッキングプレートを備えること、又はフェライト含有ジャケットに囲まれていることを開示していない。
【００１７】
渦電流ダンパは、永久磁石又は電磁石を備えていてもよい。電磁石は、エネルギ源からの電気エネルギを必要とするという欠点を有する。爆発のリスクがある環境では、このような装置は、既知の基準に従ってケースに入れることを必要とする。これにより、ダンパは、より高価となる。エネルギを外部エネルギ源から供給しようとすると、ダンパとエネルギ源との間のケーブルが必要となり、これもまた、ダンパの設置を、より高価なものとする。
【先行技術文献】
【特許文献】
【００１８】
【特許文献１】米国特許５７３６７９８号明細書
【特許文献２】米国特許第５０３１９００号明細書
【特許文献３】米国特許第５６５６００１号明細書
【特許文献４】ノルウェー国第２００１４１８８号明細書
【発明の概要】
【発明が解決しようとする課題】
【００１９】
本発明の目的は、従来技術の欠点の少なくとも１つを改善する又は低減させることであり、または、少なくとも従来技術に対する有効な代替手段を提供することである。
【課題を解決するための手段】
【００２０】
この目的は、以下の説明及びそれに続く請求項に特定された特徴により達成される。
【００２１】
本発明者により実行された実験では、アンカープレートの片側又は両側に配置された永久磁石が、つり下げられた装置ケーシング用のダンパを提供するために適切であることが示された。この解決法は、コンパクトで制作が安価であり、ジャイロベースのダンパ、流体ベースのダンパ、又は摩擦ブレーキの使用に伴う欠点が無い。
【００２２】
特に、磁石システムの使用は、ダンパ機構の物理的な大きさを低減させることにおいて有利であることがわかった。フェライト材料は、アンカープレートから離れた方向に向く磁石の端部上に配置される。
【００２３】
アンカープレートの片側又は両側に円形に多極的に磁石を配置することが、特に有利であることがわかった。多極的に配置され、アンカープレートから離れる方向に向いた磁石端部上に配置されたフェライト材料を含む、磁石システムを使うことが、さらに特に有利であることがわかった。
【００２４】
第１の態様によれば、本発明は、装置又は装置ケーシングの振り子運動を減衰させるためのダンパに関し、このダンパは、導電性アンカープレートとケーシングとを有し、前記ケーシング及び前記アンカープレートがお互いに対して回動可能であり、前記アンカープレート又は前記ケーシングが車軸上に支持され、前記ケーシングは少なくとも１つの磁石を備え、前記磁石は、１つの極において、フェライト含有材料から成るバッキングプレートを備え、前記磁石及び前記バッキングプレートが磁石システムを形成し、前記磁石システムが、少なくとも１つの極において前記アンカープレートと対向する。
【００２５】
１つの実施形態においては、ダンパは、ベースへの取り付けのための取り付けブラケットを備えていてもよい。前記車軸の端部において、前記車軸はブラケットアームを備えていてもよい。前記車軸は、前記ブラケットアームに固定して取り付けられてもよい。前記アンカープレートは、ダンパの前記取り付けブラケットに対して不動であってもよい。この実施形態においては、前記アンカープレートは、ダンパが固定されるベースに対して不動であり、前記ケーシングは、前記ベースに対して回動可能である。
【００２６】
他の実施形態においては、前記アンカープレートの１面に対向する少なくとも４つの磁極が、前記ケーシング内に配置されてもよい。異なる極性の異なるセクタを有する焼結された磁石が用いられる場合、４つの磁極は１つの磁石片から形成されてもよい。従来の２極磁石又はセクタ磁石が用いられる場合、４つの磁極は、４つの別個の磁石又は４つのセクタ磁石から形成されてもよい。さらに他の実施形態においては、前記アンカープレートの１面に対向する少なくとも６つの極が前記ケーシング内に配置されてもよい。
【００２７】
さらに他の実施形態においては、前記ケーシング内には、前記アンカープレートの１面に対向する少なくとも１つの磁極と、前記アンカープレートの反対面に対向する少なくとも１つの磁極と、が配置されていてもよい。前記ケーシング内には、前記アンカープレートの１面に対向する少なくとも４つの磁極と、前記アンカープレートの反対面に対向する少なくとも４つの磁極と、が配置されていてもよい。前記ケーシング内には、前記アンカープレートの１面に対向する少なくとも６つの磁極と、前記アンカープレートの前記反対面に対向する少なくとも６つの磁極と、が配置されていてもよい。
【００２８】
磁石は、多極構成されていてもよい。１つの実施形態において、磁石は電磁石であってもよい。代替実施形態において、磁石は永久磁石であってもよい。
【００２９】
前記ケーシングには、前記アンカープレートの１面に対向する少なくとも１つの凹部が設けられていてもよい。前記バッキングプレートは、前記凹部の底部に取り付けられてもよい。前記凹部には、少なくとも４つの磁石又は１つの多極磁石片を設けてもよい。前記凹部は、円形の凹部を形成してもよい。
【００３０】
代替実施形態において、前記アンカープレートに対向する被覆されない極を有する少なくとも１つの磁石が、他の表面上において、磁石システムを形成するためのフェライト含有材料により形成されたジャケットに囲まれていてもよい。
【００３１】
前記ケーシングは、前記装置ケーシングの取り付けのための手段を備えていてもよい。前記ケーシングは、前記アンカープレートを囲むよう設計されていてもよい。
【００３２】
前記アンカープレートは、前記ケーシングから前記ケーシング内のスロットを通って外側に突出するタング部を備えていてもよく、前記タング部には、前記装置ケーシングの取り付けのための穴を形成されていてもよい。この実施形態においては、前記ケーシングは、前記ベースに取り付けられてもよく、前記アンカープレートが、前記ベースに対して移動可能であってもよい。
【００３３】
本発明はまた、上述の装置又は装置ケーシングのためのダンパを有する、回動可能又は傾斜可能プラットフォームに関する。
【００３４】
第２の態様によれば、本発明は、回動可能又は傾斜可能プラットフォームに取り付けられた装置又は装置ケーシングの振り子運動を減衰する方法に関し、この方法においては、前記装置又は装置ケーシングが上述のダンパに取り付けられている。
【００３５】
第３の態様によれば、本発明は、装置又は装置ケーシングを回動可能又は傾斜可能プラットフォームに回動可能に取り付けるための、上述のダンパの使用に関する。
【図面の簡単な説明】
【００３６】
【図１】磁石システム内のフェライト含有材料と１つ又はそれ以上の磁石の既知の組み合わせを示す概略図である。
【図２】本発明による渦電流ダンパ及び取り付けブラケットを示すケーシングの斜視図である。
【図３】渦電流ダンパ及び取り付けブラケットを示すケーシングの側面図である。
【図４】図３のＩＩ−ＩＩ断面を示す拡大図である。
【図５】図２と同じ縮尺で示すケーシングの正面図である。
【図６】図４と同じ縮尺で図５のＩＶ−ＩＶ断面を示す図である。
【図７】本発明の代替実施形態の、同じＩＶ−ＩＶ断面を示す図である。
【図８】装置ケーシングを備える渦電流ダンパを他の縮尺で示す斜視図である。
【図９】図４に対応する代替実施形態の図である。
【図１０】代替実施形態を示す拡大図である。
【発明を実施するための形態】
【００３７】
以下に、添付の図面に視覚化された好適な実施形態の例を説明し、添付の図面は上記を示す。
【００３８】
図において、符号５は、磁石５０とフェライト含有材料とを含む磁石システムを示す。図１のＡからＥは、従来技術として、磁石５０がフェライト含有材料と組み合わされ部分的に囲まれる、いくつかの異なる方法を示す。ある生産者の情報によれば、図１のＡに示す磁石システム５は、磁力を１．３倍に増大させる。同様に、図１のＢ―Ｅに示す磁石システム５は、磁力を４．５倍、６倍、７倍、及び１８倍にそれぞれ増大させる。図１のＢ―Ｅは、磁石システム５の「事実上の」Ｎ極及びＳ極が、磁石５０のＮ極及びＳ極とは幾何学的に異なる方向である場合があることを示している。
【００３９】
図において、符号１は、本発明による渦電流ダンパを示す。渦電流ダンパ１は、第１ケーシング半体２２と第２ケーシング半体２４とから成る円形ケーシング２を備える。ケーシング半体２２及び２４には、貫通開口２６及び２６’がそれぞれ形成されている。ケーシング２は、開口２６及び２６’内で車軸３２周りに回動可能に支持される。車軸３２は、取り付けブラケット３のブラケットアーム３６に固定して取り付けられている。図示する実施形態では、車軸３２は、１つのブラケットアーム３６の外側上の車軸３２の１つのねじ切り端部にナット３４を備える。代替実施形態では、車軸３２は、図９に示すように、ブラケットアーム３６の内側上の薄ナット３４’とロックされる。他の代替実施形態においては、車軸３２は、図９に示すように、第１ブラケットアーム３６の外側上のボルトヘッド３２’を有するボルトと、第２ブラケットアーム３６の外側上のナットと、により形成される。ケーシング半体２２及び２４は相補的に形成され、ケーシング半体２２及び２４の対向する部分に沿った、それ自体が既知の形で、お互いに対して封止取り付けされる。ケーシング２は、プラスチック、ステンレス耐酸性鋼、真鍮又はアルミニウム等の非磁性材料から成っていてもよい。ケーシングはまた、Ｓ１６５Ｍステンレス鋼などの磁性材料から成っていてもよい。
【００４０】
図４、図９及び図１０に示すように、車軸３２は、その中間部分に取り付けスリーブ４２を備える。取り付けスリーブ４２に対して、アンカープレート４が取り付けられ、取り付けスリーブ４２から二つのケーシング半体２２及び２４の間を径方向に延びる。アンカープレート４は、図４及び図９に示すようにディスク形状であってもよい。アンカープレート４は、導電性材料から成っていてもよい。
【００４１】
第１の実施形態において、ケーシング半体２２及び２４は、その内部に円形の凹部２８及び２８’を備える。凹部２８及び２８’の底部において、ケーシング半体２２及び２４は、相補的に形成されたバッキングプレート５２及び５２’を備える。凹部２８及び２８’内のバッキングプレート５２及び５２’上には、ネオジムタイプの多極永久磁石５０が配置される。極５４の交互の極性が、図６及び図７においてそれぞれ垂直ハッチング及び水平ハッチングによって示され、図４、図９及び図１０においてハッチング内の異なる線の間隔によって示される。
【００４２】
ケーシング半体２２及び２４は、その内部に、それ自体知られている種類のベアリング６を備える。ベアリング６はここではこれ以上言及しない。ケーシング半体２２及び２４にはさらに、貫通開口７が形成される。装置ケーシング８は、それ自体知られている、図８に示すような開口７を用いた手法で取り付けることができる。装置ケーシング８内の装置（図示せず）は、ケーブル８２を通じて周囲と連絡する。
【００４３】
ケーシング２を通じて、装置ケーシング８は車軸３２の周りに回動可能に支持され、したがって、取り付けブラケット３に対して回動可能である。アンカープレート４は、車軸３２に固定して取り付けられ、したがって、取り付けブラケット３に対して不動である。これにより、磁石システムは、装置ケーシング８が車軸３２周りに回動したときに、アンカープレート４に対して移動する。これにより、アンカープレート４内に渦電流が発生し、装置ケーシング８の運動に抵抗し、この運動を減衰させる。
【００４４】
代替実施形態においては、磁石５０は、扇形磁石として形成される。図７に、６つの扇形磁石５０を有する実施形態を示す。さらに他の代替実施形態においては、ケーシング２内に配置された少なくとも１つの磁石５０が存在し、この磁石は、アンカープレート４に対向する被覆されていない極５４を有し、図１Ｃに示すようなフェライト含有材料から成るジャケットにより他の表面が囲まれ、これにより、磁石システム５の磁界の強さを増大させる。
【００４５】
図９にさらに他の代替実施形態を示す。この実施形態では、渦電流ダンパ１は、アンカープレート４の１面上に多極永久磁石５０を備える。他のケーシング半体２４は、その内部において、凹部２８’の無い、平坦な表面を有して形成される。
【００４６】
図１０にさらに他の代替実施形態を示す。この実施形態では、車軸３２がケーシング半体２２及び２４に囲まれ、ケーシング半体２２及び２４内に支持される。アンカープレート４は、取り付けスリーブ４２内で車軸３２に取り付けられる。１つの部分では、アンカープレート４に、スロット２９内でケーシング２の外へと突出するタング部４’が形成される。アンカープレート４のタング部４’には、装置又は装置ケーシング８を保持するよう配置された１つ又はそれ以上の穴４４が形成される。ケーシング２は、開口７によってベースに固定されるよう構成される。装置ケーシング８は、アンカープレート４を介して車軸３２周りに回動する。アンカープレート４は、磁石システム５に対して移動する。アンカープレート４内に渦電流が発生し、渦電流が装置ケーシング８の運動に抵抗し、この運動が減衰される。当業者には、車軸３２をケーシング半体２２及び２４に固定接続しアンカープレート４を車軸３２上に支持すること（図示せず）によっても、同様の効果が得られることが理解できよう。
【００４７】
Ｓ１６５Ｍステンレス鋼を材料にしてケーシング２を形成し、測定した結果、ダンパ１は、磁力源から２．１ｍの距離で測定された磁界の強さが０．１５９Ａ／ｍ（０．００２ガウス）より低い、というＳＩＭＴ  ２０１０Ｆ２２−３０−５０７８７８の必要要件を満たしていることが確認された。
【図１Ａ】
2013531188.tif 000003
【図１Ｂ】
2013531188.tif 000004
【図１Ｃ】
2013531188.tif 000005
【図１Ｄ】
2013531188.tif 000006
【図１Ｅ】
2013531188.tif 000007
【図２】
2013531188.tif 000008
【図３】
2013531188.tif 000009
【図４】
2013531188.tif 000010
【図５】
2013531188.tif 000011
【図６】
2013531188.tif 000012
【図７】
2013531188.tif 000013
【図８】
2013531188.tif 000014
【図９】
2013531188.tif 000015
【図１０】
2013531188.tif 000016
【国際調査報告】
2013531188.tif 000017
2013531188.tif 000018